(57)【特許請求の範囲】
【請求項１】
コンピュータを、
ゲームの進行に必要なパラメータを保持するパラメータ保持部、
プレイヤーからの操作指示に応じて、プレイヤーズキャラクタをゲームフィールド内で移動させ、前記パラメータ保持部に格納された前記プレイヤーズキャラクタの現在位置を更新するプレイヤーズキャラクタ制御部、
前記プレイヤーズキャラクタを含むグループに属するキャラクタを前記プレイヤーズキャラクタとともに移動させ、前記パラメータ保持部に格納された前記グループに属するキャラクタの現在位置を更新するグループ制御部、
前記ゲームフィールドに配置された敵キャラクタを、前記プレイヤーズキャラクタ又は前記グループに属するキャラクタを追うように移動させ、前記パラメータ保持部に格納された前記敵キャラクタの現在位置を更新する敵キャラクタ制御部、
として機能させ、
前記グループ制御部は、前記グループに属するキャラクタのうち少なくとも１つを前記グループから離脱させる機能を含み、
前記敵キャラクタ制御部は、前記敵キャラクタが前記プレイヤーズキャラクタ又は前記グループから離脱したキャラクタに追いついた場合、前記敵キャラクタに前記プレイヤーズキャラクタ又は前記グループから離脱したキャラクタを攻撃させる機能を含み、
コンピュータを、前記グループからキャラクタを離脱させてから所定時間が経過したときに、そのキャラクタが前記敵キャラクタから攻撃されていなかった場合は、そのキャラクタを前記プレイヤーズキャラクタを追うように移動させる離脱キャラクタ制御部として更に機能させ、
前記グループ制御部は、グループから離脱していたキャラクタが前記プレイヤーズキャラクタのグループに追いつくと、そのキャラクタを再び前記プレイヤーズキャラクタのグループに復帰させる
ことを特徴とするゲーム制御プログラム。
【請求項２】
前記グループ制御部は、前記ゲームフィールドに配置された他のキャラクタを前記グループに属させることを特徴とする請求項１に記載のゲーム制御プログラム。
【請求項３】
前記敵キャラクタ制御部は、前記敵キャラクタの攻撃対象を前記グループから離脱したキャラクタに設定することを特徴とする請求項１又は２に記載のゲーム制御プログラム。
【請求項４】
前記敵キャラクタ制御部は、前記敵キャラクタの攻撃対象を前記グループから離脱したキャラクタに設定してから所定時間が経過すると、その設定を解除することを特徴とする請求項３に記載のゲーム制御プログラム。
【請求項５】
ゲームの進行に必要なパラメータを保持するパラメータ保持部と、
プレイヤーからの操作指示に応じて、プレイヤーズキャラクタをゲームフィールド内で移動させ、前記パラメータ保持部に格納された前記プレイヤーズキャラクタの現在位置を更新するプレイヤーズキャラクタ制御部と、
前記プレイヤーズキャラクタを含むグループに属するキャラクタを前記プレイヤーズキャラクタとともに移動させ、前記パラメータ保持部に格納された前記グループに属するキャラクタの現在位置を更新するグループ制御部と、
前記ゲームフィールドに配置された敵キャラクタを、前記プレイヤーズキャラクタ又は前記グループに属するキャラクタを追うように移動させ、前記パラメータ保持部に格納された前記敵キャラクタの現在位置を更新する敵キャラクタ制御部と、を備え、
前記グループ制御部は、前記グループに属するキャラクタのうち少なくとも１つを前記グループから離脱させる機能を含み、
前記敵キャラクタ制御部は、前記敵キャラクタが前記プレイヤーズキャラクタ又は前記グループから離脱したキャラクタに追いついた場合、前記敵キャラクタに前記プレイヤーズキャラクタ又は前記グループから離脱したキャラクタを攻撃させる機能を含み、
前記グループからキャラクタを離脱させてから所定時間が経過したときに、そのキャラクタが前記敵キャラクタから攻撃されていなかった場合は、そのキャラクタを前記プレイヤーズキャラクタを追うように移動させる離脱キャラクタ制御部を更に備え、
前記グループ制御部は、グループから離脱していたキャラクタが前記プレイヤーズキャラクタのグループに追いつくと、そのキャラクタを再び前記プレイヤーズキャラクタのグループに復帰させる
ことを特徴とするゲーム装置。
【請求項６】
コンピュータに、
プレイヤーからの操作指示に応じて、プレイヤーズキャラクタをゲームフィールド内で移動させ、コンピュータに備えられた、ゲームの進行に必要なパラメータを保持するパラメータ保持部に格納された前記プレイヤーズキャラクタの現在位置を更新するステップと、
前記プレイヤーズキャラクタを含むグループに属するキャラクタを前記プレイヤーズキャラクタとともに移動させ、前記パラメータ保持部に格納された前記グループに属するキャラクタの現在位置を更新するステップと、
前記ゲームフィールドに配置された敵キャラクタを、前記プレイヤーズキャラクタ又は前記グループに属するキャラクタを追うように移動させ、前記パラメータ保持部に格納された前記敵キャラクタの現在位置を更新するステップと、
前記グループに属するキャラクタのうち少なくとも１つを前記グループから離脱させるステップと、
前記敵キャラクタが前記プレイヤーズキャラクタ又は前記グループから離脱したキャラクタに追いついた場合、前記敵キャラクタに前記プレイヤーズキャラクタ又は前記グループから離脱したキャラクタを攻撃させるステップと、
前記グループからキャラクタを離脱させてから所定時間が経過したときに、そのキャラクタが前記敵キャラクタから攻撃されていなかった場合は、そのキャラクタを前記プレイヤーズキャラクタを追うように移動させ、前記プレイヤーズキャラクタに追いつくと前記グループに復帰させるステップと、
を実行させることを特徴とするゲーム制御方法。
【請求項７】
請求項１から４のいずれかに記載のゲーム制御プログラムを記録したコンピュータ読み取り可能な記録媒体。
【発明の詳細な説明】
【技術分野】
【０００１】
本発明は、ゲーム制御技術に関し、とくに、プレイヤーがゲームフィールドに配置されたプレイヤーズキャラクタを操作して所定の目的の達成を目指すゲームを制御するゲーム装置、ゲーム制御方法、及びゲーム制御プログラムに関する。
【背景技術】
【０００２】
プレイヤーがゲームフィールドに配置されたプレイヤーズキャラクタを操作して、アイテムを取得したり、敵キャラクタと戦ったりして、所定の目的の達成を目指すゲームが数多く提供されている。これらのゲームの中には、プレイヤーズキャラクタがゲームフィールドに配置されたキャラクタと仲間になってグループを形成し、仲間と協力し合って所定の目的の達成を目指すことができるゲームもある。
【先行技術文献】
【特許文献】
【０００３】
【特許文献１】米国特許公開２００９／０２４７３００号公報
【発明の概要】
【発明が解決しようとする課題】
【０００４】
本発明者らは、プレイヤーズキャラクタと他のキャラクタがグループを形成して所定の目的の達成を目指すゲームにおいて、ゲームの娯楽性を更に向上させる技術を想到するに至った。
【０００５】
本発明はこうした状況に鑑みてなされたものであり、その目的は、より娯楽性の高いゲーム制御技術を提供することにある。
【課題を解決するための手段】
【０００６】
本発明のある態様は、ゲーム制御プログラムに関する。このゲーム制御プログラムは、プレイヤーからの操作指示に応じて、プレイヤーズキャラクタをゲームフィールド内で移動させる機能と、前記プレイヤーズキャラクタを含むグループに属するキャラクタを前記プレイヤーズキャラクタとともに移動させる機能と、前記ゲームフィールドに配置された敵キャラクタを、前記プレイヤーズキャラクタ又は前記グループに属するキャラクタを追うように移動させる機能と、前記グループに属するキャラクタのうち少なくとも１つを前記グループから離脱させる機能と、前記敵キャラクタが前記プレイヤーズキャラクタ又は前記グループから離脱したキャラクタに追いついた場合、前記敵キャラクタに前記プレイヤーズキャラクタ又は前記グループから離脱したキャラクタを攻撃させる機能と、をコンピュータに実現させる。
【０００７】
なお、以上の構成要素の任意の組合せ、本発明の表現を方法、装置、システムなどの間で変換したものもまた、本発明の態様として有効である。
【発明の効果】
【０００８】
本発明によれば、より利便性の高いゲーム制御技術を提供することができる。
【図面の簡単な説明】
【０００９】
【図１】実施の形態に係るゲーム装置の構成を示す図である。
【図２】実施の形態に係るゲーム装置により制御されるゲームの画面の例を示す図である。
【図３】実施の形態に係るゲーム装置により制御されるゲームの画面の例を示す図である。
【図４】実施の形態に係るゲーム装置により制御されるゲームの画面の例を示す図である。
【図５】実施の形態に係るゲーム装置により制御されるゲームの画面の例を示す図である。
【図６】実施の形態に係るゲーム装置により制御されるゲームの画面の例を示す図である。
【図７】実施の形態に係るゲーム装置により制御されるゲームの画面の例を示す図である。
【図８】実施の形態に係るゲーム装置により制御されるゲームの画面の例を示す図である。
【発明を実施するための形態】
【００１０】
実施の形態に係るゲーム装置は、プレイヤーが草食動物のキャラクタ（以下、「プレイヤーズキャラクタ」ともいう）を操作し、草を食べたり、仲間と協力して自身を捕食する肉食動物のキャラクタ（以下、「敵キャラクタ」ともいう）から逃れたりして、ゲームフィールドにおいて生き続けることを目的とするゲームを提供する。プレイヤーズキャラクタは、ゲームフィールドに存在する他の草食動物のキャラクタと接触することにより、そのキャラクタを仲間にして群れ（グループ）を形成することができる。
【００１１】
本実施の形態のゲーム装置は、群れが敵キャラクタに遭遇したときに、群れに属するキャラクタの一部を群れから離脱させて囮とし、敵キャラクタが囮を攻撃している間に逃げることを可能とする機能を提供する。敵キャラクタは、その場で倒れている囮のキャラクタにターゲットを移し、囮のキャラクタを捕食し終わるまでの間は、プレイヤーズキャラクタを含む群れを追わない。囮のキャラクタは、敵キャラクタに捕食されずに所定時間経過すると、群れに復帰することができる。
【００１２】
図１は、実施の形態に係るゲーム装置１０の構成を示す。ゲーム装置１０は、コントローラ２０、入力受付部３０、制御部４０、パラメータ保持部６０、ゲームデータ保持部６２、画面生成部６６、及び表示装置６８を備える。これらの構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１３】
入力受付部３０は、プレイヤーが操作するコントローラ２０から入力される制御信号を受け付ける。制御部４０は、入力受付部３０が受け付けたプレイヤーからの操作入力に基づいてキャラクタを制御し、ゲームを進行させる。パラメータ保持部６０は、ゲームの進行に必要なパラメータを保持する。ゲームデータ保持部６２は、ゲームプログラム、ゲームフィールドを構成するオブジェクトなどの３次元データ、キャラクタのデータなどを保持する。画面生成部６６は、制御部４０により制御されるゲームの画面を生成し、表示装置６８に表示させる。
【００１４】
制御部４０は、プレイヤーズキャラクタ制御部４１、敵キャラクタ制御部４２、グループ制御部４３、離脱キャラクタ制御部４４を含む。
【００１５】
制御部４０は、ゲームが開始されると、ゲームデータ保持部６２からゲームフィールドのデータを読み出し、画面生成部６６にゲームの初期画面を生成させる。ゲームフィールドに配置される敵キャラクタやアイテムなどは、ゲームデータ保持部６２に予め保持されていてもよいし、制御部４０がゲーム開始時に所定の条件にしたがって生成してもよい。制御部４０は、ゲーム開始時からの経過時間をカウントし、パラメータ保持部６０に記録する。制御部４０は、ゲームオーバーとなったとき、経過時間に応じた得点を算出し、ゲームの成績としてプレイヤーに提示する。
【００１６】
プレイヤーズキャラクタ制御部４１は、入力受付部３０が受け付けた、コントローラ２０によるプレイヤーからの操作指示に基づいて、プレイヤーズキャラクタを制御する。プレイヤーズキャラクタ制御部４１は、方向キーの入力を受け付けると、指示された方向へプレイヤーズキャラクタを移動させる。
【００１７】
プレイヤーズキャラクタ制御部４１は、プレイヤーズキャラクタの生命力を示すライフポイントを管理し、パラメータ保持部６０に記録する。プレイヤーズキャラクタ制御部４１は、プレイヤーズキャラクタの移動、時間の経過、敵キャラクタからの攻撃などにともなって、ライフポイントを所定量減少させる。また、プレイヤーズキャラクタがゲームフィールドに配置された植物に接触すると、プレイヤーズキャラクタが植物を捕食する様子を画面に表示し、ライフポイントを所定量増加させる。プレイヤーズキャラクタのライフポイントが０になると、ゲームオーバーとする。プレイヤーズキャラクタ制御部４１は、ゲーム開始時からの経過時間に応じて、ライフポイントの最大値を減少させる。また、経過時間が長くなるほど、ライフポイントの減少速度を大きくする。すなわち、プレイヤーズキャラクタは年を取るにつれて、生き延びることが困難になる。
【００１８】
プレイヤーズキャラクタは、後述するように、肉食動物である敵キャラクタに接触すると、敵キャラクタに捕食され、ライフポイントが０となる。このとき、プレイヤーズキャラクタのグループに属する味方キャラクタが存在すれば、プレイヤーズキャラクタ制御部４１は、残っている味方キャラクタのうち１体を選択してプレイヤーズキャラクタとする。プレイヤーズキャラクタ制御部４１は、新しいプレイヤーズキャラクタのライフポイントを最大値に設定してもよいし、最大値よりも低い所定量に設定してもよい。
【００１９】
敵キャラクタ制御部４２は、ゲームフィールドに配置された、プレイヤーズキャラクタの敵となるキャラクタを制御する。敵キャラクタ制御部４２は、ゲームフィールドに配置された敵キャラクタのそれぞれについて、人工知能により挙動を制御し、現在位置を更新してパラメータ保持部６０に記録する。敵キャラクタ制御部４２は、敵キャラクタの周囲にプレイヤーズキャラクタが存在しないときには、敵キャラクタをランダムに移動させる。敵キャラクタ制御部４２は、所定のタイミングで、敵キャラクタがプレイヤーズキャラクタ又はプレイヤーズキャラクタのグループに属する味方キャラクタを発見するか否かを判定する。例えば、敵キャラクタ制御部４２は、敵キャラクタの現在位置から第１の範囲内にプレイヤーズキャラクタ又は味方キャラクタが存在するときに、敵キャラクタがプレイヤーズキャラクタ又は味方キャラクタを発見したと判定する。このとき、敵キャラクタの移動方向の前方は第１の範囲を広く、後方は第１の範囲を狭くしてもよい。敵キャラクタの種類に応じて第１の範囲を設定してもよい。敵キャラクタ制御部４２は、敵キャラクタがプレイヤーズキャラクタ又は味方キャラクタを発見したと判定した場合は、敵キャラクタがプレイヤーズキャラクタを追うように移動させる。
【００２０】
敵キャラクタ制御部４２は、敵キャラクタがプレイヤーズキャラクタ又は味方キャラクタから第２の範囲に追いつくと、敵キャラクタがプレイヤーズキャラクタ又は味方キャラクタを襲い捕食する様子を表示する。敵キャラクタ制御部４２は、敵キャラクタがプレイヤーズキャラクタ又は味方キャラクタを捕食している間、敵キャラクタを移動させないので、味方キャラクタが捕食された場合には、その間にプレイヤーズキャラクタは逃げ続けることができる。プレイヤーズキャラクタが捕食された場合には、前述したように、味方キャラクタがいなければゲームオーバーとなり、味方キャラクタがいれば、その味方キャラクタがプレイヤーズキャラクタとなって逃げ続けることができる。敵キャラクタ制御部４２は、敵キャラクタが味方キャラクタに追いついてから所定時間が経過すると、敵キャラクタによる味方キャラクタの捕食を終了させ、敵キャラクタがプレイヤーズキャラクタ又はプレイヤーズキャラクタのグループに属する味方キャラクタを発見するか否かを再度判定する。このときまでに、プレイヤーズキャラクタのグループが敵キャラクタから第１の範囲よりも離れていれば、プレイヤーズキャラクタは敵キャラクタからの逃避に成功する。敵キャラクタ制御部４２は、敵キャラクタが囮の味方キャラクタの捕食を終了したときに、ターゲットを再びプレイヤーズキャラクタに戻し、プレイヤーズキャラクタを追い始めるようにしてもよい。
【００２１】
敵キャラクタ制御部４２は、後述するように、プレイヤーズキャラクタのグループから味方キャラクタが離脱した場合には、離脱したキャラクタを優先的にターゲットとする。したがって、プレイヤーは、プレイヤーズキャラクタが敵キャラクタに追われているときに、グループに属する味方キャラクタを囮として離脱させることにより、プレイヤーズキャラクタを敵キャラクタのターゲットから外し、逃避の成功率を向上させることができる。敵キャラクタ制御部４２は、複数の敵キャラクタのそれぞれについて攻撃対象を個別に設定する場合であっても、プレイヤーズキャラクタのグループから味方キャラクタが離脱した場合には、全ての敵キャラクタの攻撃対象を離脱した味方キャラクタに設定してもよい。これにより、プレイヤーは、プレイヤーズキャラクタが複数の敵キャラクタに追われているときに、複数の敵キャラクタの攻撃対象を１体の味方キャラクタに集中させ、被害を最小限に抑えることができる。
【００２２】
グループ制御部４３は、プレイヤーズキャラクタがゲームフィールドに配置された味方キャラクタと接触したときに、その味方キャラクタをプレイヤーズキャラクタのグループに属させる。前述したように、グループに属する味方キャラクタが存在すれば、プレイヤーズキャラクタが敵キャラクタに捕食されてもゲームを続行させることができる。グループ制御部４３は、グループに属する味方キャラクタをプレイヤーズキャラクタに追随するように移動させる。グループに属していない味方キャラクタは、ゲームフィールドにおいてランダムに、又は人工知能の制御により移動させてもよいし、最初に配置された位置で静止させてもよい。
【００２３】
グループ制御部４３は、プレイヤーズキャラクタのグループに味方キャラクタが属しているときに、入力装置を介してプレイヤーから味方キャラクタをグループから離脱させる操作指示を受け付けると、グループに属する味方キャラクタをグループから離脱させる。複数の味方キャラクタがグループに属している場合、グループ制御部４３は、１体の味方キャラクタをグループから離脱させてもよいし、複数の味方キャラクタをグループから離脱させてもよい。グループ制御部４３は、グループに属する味方キャラクタのうち、最後尾の味方キャラクタをグループから離脱させてもよい。
【００２４】
離脱キャラクタ制御部４４は、グループから離脱した味方キャラクタを制御する。離脱キャラクタ制御部４４は、グループから離脱した味方キャラクタをその場で倒れて静止させ、死んだふりをさせる。これにより、グループに属する味方キャラクタを囮にし、敵キャラクタを引きつけている間に、プレイヤーズキャラクタと他の味方キャラクタが敵キャラクタから逃避する機会を作ることができる。また、複数の敵キャラクタに追われている場合であっても、全ての敵キャラクタを囮に集中させることができる。
【００２５】
離脱キャラクタ制御部４４は、人工知能の制御により離脱した味方キャラクタを敵キャラクタから逃避させてもよい。この場合、離脱した味方キャラクタがプレイヤーズキャラクタのグループと同じ方向に逃避すると囮として離脱させた意味がないので、プレイヤーズキャラクタのグループとは異なる方向に逃避するようにしてもよい。
【００２６】
離脱キャラクタ制御部４４は、離脱した味方キャラクタを、人工知能の制御により、離脱した位置の周辺で移動させてもよい。この場合、離脱キャラクタ制御部４４は、離脱した味方キャラクタをランダムに移動させてもよいし、人工知能に制御により離脱した味方キャラクタを移動させつつ、離脱した位置から所定の範囲の外に出ないように制御してもよい。
【００２７】
プレイヤーが、味方キャラクタをグループから離脱させた後、プレイヤーズキャラクタを操作して、プレイヤーズキャラクタと離脱した味方キャラクタとが接触するようにプレイヤーズキャラクタを移動させたとき、グループ制御部４３は、離脱していた味方キャラクタを再びプレイヤーズキャラクタのグループに復帰させる。
【００２８】
離脱キャラクタ制御部４４は、グループ制御部４３により味方キャラクタがグループから離脱された後、所定時間が経過しても、敵キャラクタが味方キャラクタを発見しなかったなどの理由により、味方キャラクタが敵キャラクタに捕食されずに生存していた場合は、プレイヤーズキャラクタのグループに復帰するために、プレイヤーズキャラクタを追うように移動させる。離脱していた味方キャラクタがプレイヤーズキャラクタのグループに追いつくと、グループ制御部４３は、その味方キャラクタを再びプレイヤーズキャラクタのグループに復帰させる。
【００２９】
図２は、実施の形態に係るゲーム装置により制御されるゲームの画面の例を示す。画面には、プレイヤーズキャラクタ１００と、プレイヤーズキャラクタ１００が捕食可能なアイテムである植物１０２が表示されている。プレイヤーがプレイヤーズキャラクタを操作して、植物１０２の近傍に移動させると、プレイヤーズキャラクタ制御部４１は、プレイヤーズキャラクタ１００が植物１０２を捕食する様子を表示し、ライフポイントを増加させる。
【００３０】
図３は、実施の形態に係るゲーム装置により制御されるゲームの画面の例を示す。画面には、プレイヤーズキャラクタ１００と、プレイヤーズキャラクタの味方となる味方キャラクタ１０４が表示されている。プレイヤーがプレイヤーズキャラクタを操作して、味方キャラクタ１０４の近傍に移動させると、グループ制御部４３は、味方キャラクタ１０４をプレイヤーズキャラクタ１００のグループに属させる。
【００３１】
図４は、実施の形態に係るゲーム装置により制御されるゲームの画面の例を示す。グループ制御部４３は、グループに属する味方キャラクタ１０４を、プレイヤーズキャラクタ１００に追随するように移動させる。
【００３２】
図５は、実施の形態に係るゲーム装置により制御されるゲームの画面の例を示す。画面には、プレイヤーズキャラクタ１００と、プレイヤーズキャラクタのグループに属する味方キャラクタ１０４及び１０６と、敵キャラクタ１１０が表示されている。敵キャラクタ制御部４２は、敵キャラクタがプレイヤーズキャラクタ１００を発見したと判定すると、プレイヤーズキャラクタ１００をターゲットに設定し、プレイヤーズキャラクタ１００を追うように敵キャラクタ１１０を移動させる。
【００３３】
図６は、実施の形態に係るゲーム装置により制御されるゲームの画面の例を示す。プレイヤーが、グループに属する味方キャラクタを囮として離脱させるための操作指示を入力すると、グループ制御部４３は、味方キャラクタ１０６をグループから離脱させ、その場で死んだふりをさせる。敵キャラクタ制御部４２は、離脱した味方キャラクタ１０６をターゲットに設定し、敵キャラクタ１１０が味方キャラクタ１０６に追いつくと、味方キャラクタ１０６を捕食する様子を表示する。
【００３４】
図７は、実施の形態に係るゲーム装置により制御されるゲームの画面の例を示す。プレイヤーは、敵キャラクタ１１０が味方キャラクタ１０６を捕食している間、プレイヤーズキャラクタ１００を操作して逃げ続けさせることができる。これにより、プレイヤーズキャラクタ１００と味方キャラクタ１０４は敵キャラクタ１１０の襲撃を逃れ、生き延びることができる。
【００３５】
図８は、実施の形態に係るゲーム装置により制御されるゲームの画面の例を示す。グループ制御部４３により味方キャラクタ１０６がグループから離脱された後、所定時間が経過しても、味方キャラクタ１０６が敵キャラクタ１１０に捕食されずに生存していた場合は、離脱キャラクタ制御部４４は、味方キャラクタ１０６をプレイヤーズキャラクタ１００のグループの方へ移動させ、グループに復帰させる。
【００３６】
以上、本発明を実施例をもとに説明した。この実施例は例示であり、その各構成要素や各処理プロセスの組合せにいろいろな変形が可能なこと、またそうした変形例も本発明の範囲にあることは当業者に理解されるところである。
【００３７】
プレイヤーが、グループに属する味方キャラクタをグループから離脱させる操作指示を入力したときに、グループ制御部４３は、味方キャラクタをグループから離脱させるか否かを判定してもよい。例えば、プレイヤーズキャラクタ制御部４１が、プレイヤーズキャラクタのグループの統率力を示すポイントを管理し、ポイントが所定値よりも高ければ指示にしたがって味方キャラクタをグループから離脱させ、ポイントが低ければ離脱させないようにしてもよい。また、ポイントが所定値よりも低い場合に、グループに属する味方キャラクタを、プレイヤーズキャラクタに追随するのではなく、人工知能により勝手に行動させるようにしてもよいし、グループから離反するようにしてもよい。
【００３８】
複数の種類の敵キャラクタ又は味方キャラクタをゲームフィールドに配置し、それぞれの種類に応じて、移動速度、攻撃力、防御力、捕食関係などを設定してもよい。この場合、プレイヤーが、グループに属する味方キャラクタのいずれを囮として離脱させるかを選択可能としてもよい。これにより、追ってくる敵キャラクタの種類に応じて、囮としてより効果的な味方キャラクタを選択して離脱させる面白さを提供することができる。
【００３９】
実施の形態では、敵キャラクタ制御部４２は、グループに属する味方キャラクタをグループから離脱させたときには、プレイヤーズキャラクタよりも離脱した味方キャラクタを優先して攻撃対象としたが、別の例では、敵キャラクタから最も近いプレイヤーズキャラクタ又は味方キャラクタを攻撃対象としてもよい。離脱した味方キャラクタは、もともとプレイヤーズキャラクタを追随して移動していたので、通常、プレイヤーズキャラクタよりも敵キャラクタに近い位置にいる。したがって、離脱した味方キャラクタをその場に静止させる場合であっても、プレイヤーズキャラクタのグループとは別に逃避させる場合であっても、敵キャラクタは、プレイヤーズキャラクタよりも先に離脱した味方キャラクタに追いつくことになるから、敵キャラクタが離脱した味方キャラクタを襲っている間に、プレイヤーズキャラクタを含むグループは逃げ続けることができる。
【００４０】
敵キャラクタ制御部４２は、敵キャラクタがプレイヤーズキャラクタ又はプレイヤーズキャラクタのグループに属する味方キャラクタを発見するか否かを判定するときに用いる第１の範囲について、プレイヤーズキャラクタに対する第１の範囲よりも、離脱した味方キャラクタに対する第１の範囲を広く設定してもよい。この場合、敵キャラクタが、プレイヤーズキャラクタに対する第１の範囲よりも遠く、離脱した味方キャラクタに対する第１の範囲よりも近い位置にいるときには、プレイヤーズキャラクタが敵キャラクタから発見される前に、離脱した味方キャラクタを敵キャラクタの攻撃対象とさせることができる。したがって、この場合も、敵キャラクタが離脱した味方キャラクタを追尾している間に、プレイヤーズキャラクタを含むグループは逃げ延びることができる。
【符号の説明】
【００４１】
１０  ゲーム装置、２０  コントローラ、３０  入力受付部、４０  制御部、４１  プレイヤーズキャラクタ制御部、４２  敵キャラクタ制御部、４３  グループ制御部、４４  離脱キャラクタ制御部、６０  パラメータ保持部、６２  ゲームデータ保持部、６６  画面生成部、６８  表示装置。
【図１】
0005784363.tif 000002
【図２】
0005784363.tif 000003
【図３】
0005784363.tif 000004
【図４】
0005784363.tif 000005
【図５】
0005784363.tif 000006
【図６】
0005784363.tif 000007
【図７】
0005784363.tif 000008
【図８】
0005784363.tif 000009